(57)【要約】各層に３列に並べた２層の物品又は容器を搬送するためのカートンが提供されている。カートンは、一方の側部パネル内にディスペンサフラップ（７０Ａ、７０Ｂ）を有することができ、これらを開き、それにより、ディスペンサ開口に近接した端部を下にしてカートンを設置したとき、容器を小出しすることができる。その小出し中、２層の容器はかみ合わせセパレータ（１１０）パッドによって分離状態に保持され、かみ合わせセパレータパッドは、パンチロック（５０Ａ〜Ｄ）をセパレータパッドに取り付けられた前フラップ（１１２）の主雌開口（１１８Ａ、１１８Ｂ）に通すことにより、カートンの一方の端部の側部端フラップにかみ合わされる。カートンのかみ合わせ端部の各側部端フラップ（４２、４４）内の旋回ロック（５４Ａ〜Ｄ）であって、セパレータパッドの補助雌開口（１２０Ｃ、１２０Ｄ）内に挿入される補助雄ロック（５６Ａ〜Ｄ）をはまるように取り付けた旋回ロック（５４Ａ〜Ｄ）によって、補助ロッキングシステムが設けられている。各補助雄ロック（５６Ａ〜Ｄ）は、補助フェルール開口（１２０Ｃ、１２０Ｄ）のロッキング縁部（Ｅ”）に係合するロッキングスロット（５８Ａ〜Ｄ）を有することができる。セパレータパッドの補助雌開口のロッキング縁部に係合するロッキングスロットを有する補助雄ロックを取り付けた旋回ロックを有する側部端フラップによって、カートンの他方の端部に補助ロッキングシステムを設けることができる。これらのロッキングシステムは、容器をカートンから取り出すとき、かみ合わせセパレータパッドを適当な位置に保持する。
2007519579.tif 000002
【特許請求の範囲】
【請求項１】
複数の物品を詰め込んだ、２つの端部を有する物品搬送カートンであって、
（ａ）底部パネル、上部パネル、及び折り曲げ可能に取り付けられて隣接した側部パネルを有し、少なくとも一方の端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖されるかみ合わせ端部であり、少なくとも１つの側部端フラップが、該側部端フラップを取り付けた前記側部パネルから遠位の端部を有し、前記側部端フラップは、前記遠位端部内にリセス部分を有し、該リセス部分内に、２つの肩部を有するパンチロックと旋回ロックとが位置し、各ロックは折り曲げ線によって前記側部端フラップに取り付けられており、該折り曲げ線は前記側部端フラップを前記側部パネルに取り付けている該折り曲げ線に少なくともほぼ平行であり、前記旋回ロックは、前記パンチロックと該カートンの前記上部パネルとの間に位置し、前記旋回ロックの各々は、前記旋回ロックを前記側部端フラップに取り付けている前記折り曲げ線に少なくともほぼ垂直である折り曲げ線によって取り付けられた補助雄ロックを有し、該補助雄ロックは、前記パンチロックの肩部に近接した位置にあり、前記端フラップは、固定手段によって合わせて保持されている、該カートンと、
（ｂ）各層に物品を少なくとも２列に並べた２つの物品層と、
（ｃ）２つの端部を有するかみ合わせセパレータパッドであって、その少なくとも一方の端部が、該カートンのかみ合わせ端部に近接して位置するかみ合わせ端部であり、該パッドは、前記2つの物品層の間に位置し、該パッドの各かみ合わせ端部は、折り曲げ可能に取り付けられて該カートンの前記底部パネルに向かって延びる前フラップを有し、前記パッドは、前記かみ合わせ端部の近接位置に少なくとも１つのロッキング縁部を有する少なくとも１つの雌開口を有し、前記前フラップは、２つのロッキング縁部を有する少なくとも１つの雌開口を有する、かみ合わせセパレータパッドとを備えており、
（ｄ）該カートンの前記かみ合わせ端部上の側部端フラップの少なくとも１つのパンチロックが、前記パッドの前記前フラップの雌開口を通って突出し、前記パンチロックの各肩部が前記開口のロッキング縁部に係合し、また、各補助雄ロックが前記パッドの雌開口を通って突出し、各補助雄ロックは、前記雌開口のロッキング縁部に係合し、それにより、前記パッドを該カートンの前記かみ合わせ端部上の前記側部端フラップにかみ合わせることができ、また、
（ｅ）該カートンの前記他方の端部を固定するための手段を備える、物品搬送カートン。
【請求項２】
各層の前記物品は、３列に並べられており、前記セパレータパッド内及び前記前フラップ内の雌開口が、第１物品列と第２物品列との間に位置し、前記パッド及び前記前フラップ内の別の雌開口が、第２物品列と第３物品列との間に位置している、請求項１に記載の複数の物品を詰め込んだカートン。
【請求項３】
前記物品は２つの端部を有する円筒形容器であり、軸が該２つの端部間に延在し、該円筒形容器の該軸は、前記セパレータパッドに垂直である、請求項２に記載の複数の物品を詰め込んだカートン。
【請求項４】
前記カートンの各端部がかみ合わせ端部であり、前記かみ合わせセパレータパッドの各端部がかみ合わせ端部である、請求項１に記載の複数の物品を詰め込んだカートン。
【請求項５】
前記物品は２つの端部を有する円筒形容器であり、軸が該２つの端部を通って延在し、該円筒形容器の該軸は、前記セパレータパッドに垂直である、請求項４に記載の複数の物品を詰め込んだカートン。
【請求項６】
前記カートンの前記かみ合わせ端部上の前期端フラップを固定するための前記手段は、それらを接着して合わせることであり、前記カートンの他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、前記固定手段は、前記上部端フラップ、前記底部端フラップ及び前記側部端フラップを接着して合わせることである、請求項３に記載の複数の円筒形容器を詰め込んだカートン。
【請求項７】
前記カートンの前記他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、各側部端フラップは、該側部端フラップを取り付けた前記側部パネルから遠位の端部を有し、各側部端フラップは、前記遠位端部内にリセス部分を有し、該リセス部分内で、旋回ロックが、前記側部端フラップを前記側部パネルに取り付けている前記折り曲げ線に少なくともほぼ平行である折り曲げ線によって前記側部端フラップに取り付けられており、前記旋回ロックは、該旋回ロックを前記側部端フラップに取り付けている前記折り曲げ線に少なくともほぼ垂直である折り曲げ線によって取り付けられた補助雄ロックを有し、前記旋回ロックは、前記カートンの前記上部パネルと前記補助雄ロックとの間に位置し、前記セパレータパッドは、該パッドの前記他方の端部の近接位置に２つの雌開口を有し、各雌開口は、少なくとも１つのロッキング縁部を有し、各補助雄ロックは、前記パッドの前記他方の端部内の雌開口を通って突出して、前記雌開口のロッキング縁部に係合し、それにより、前記パッドと前記カートンとのかみ合わせを強化するようにした、請求項１に記載の複数の物品を詰め込んだカートン。
【請求項８】
前記物品は、それぞれ２つの端部を有する円筒形容器であり、軸が該２つの端部間に延在し、該円筒形容器の該軸は、前記セパレータパッドに垂直であり、該セパレータパッド内で前記カートンの前記他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、各側部端フラップが、該側部端フラップを取り付けた前記側部パネルから遠位の端部を有し、各側部端は、前記遠位端部内にリセス部分を有し、該リセス部分内で、旋回ロックが、前記側部端フラップを前記側部パネルに取り付けている前記折り曲げ線に少なくともほぼ平行である折り曲げ線によって前記側部端フラップに取り付けられており、前記旋回ロックは、該旋回ロックを前記側部端フラップに取り付けている前記折り曲げ線に少なくともほぼ垂直である折り曲げ線によって取り付けられた補助雄ロックを有し、前記旋回ロックは、前記カートンの前記上部パネルと前記補助雄ロックとの間に位置し、前記セパレータパッドは、該パッドの前記他方の端部の近接位置に２つの雌開口を有し、該雌開口の各々は、少なくとも１つのロッキング縁部を有し、各補助雄ロックは、前記パッドの前記他方の端部内の雌開口を通って突出して、前記雌開口のロッキング縁部に係合し、それにより、前記パッドと前記カートンとのかみ合わせを強化するようにした、請求項２に記載の複数の物品を詰め込んだカートン。
【請求項９】
前記カートンの各端部上の各側部端フラップの各補助雄ロックは、該補助雄ロックを前記旋回ロックに取り付けている前記折り曲げ線の近接位置にスロットを有し、該スロットは、前記セパレータパッドの端部に最も近い雌開口の前記ロッキング縁部に係合する、請求項８に記載の複数の円筒形容器を詰め込んだカートン。
【請求項１０】
前記カートンの各端部を閉鎖する前記手段は、前記カートンの各端部で前記上部端フラップ及び前記底部端フラップを前記側部端フラップに接着することによる、請求項９に記載の複数の円筒形容器を詰め込んだカートン。
【請求項１１】
除去時に各層から前記容器を取り出すことができるようにするディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項５に記載の複数の円筒形容器を詰め込んだカートン。
【請求項１２】
前記カートンの前記側部パネルの前記底部引裂き線は、前記最も近い端側部フラップから、前記側部端フラップが位置する前記端部を下にして前記カートンを置いているとき、前記最も近い側部端フラップに近接した容器が前記ディスペンサフラップを取り除いたときに形成される前記開口から転がり出ることを防止するのに十分な距離にあるが、前記底部引裂き線は、前記最も近い側部端フラップに近接した容器を前記開口から取り出すのを妨げるほど前記最も近い側部端フラップから遠い位置にない、請求項１１に記載の複数の円筒形容器を詰め込んだカートン。
【請求項１３】
前記カートンの前記隣接した底部パネル及び前記隣接した上部パネル内に延びた前記引裂き線は、前記ディスペンサフラップを取り除いたときに形成される前期開口から人が容器の近接端部を把持できるようにするのに十分に前記パネルの各々の内部に延びている、請求項１２に記載の複数の円筒形容器を詰め込んだカートン。
【請求項１４】
前記カートンの前記側部パネルの前記底部引裂き線及び前記上部引裂き線を引裂き線が相互接続し、それにより、前記ディスペンサフラップを開きやすくしている、請求項１３に記載の複数の円筒形容器を詰め込んだカートン。
【請求項１５】
前記ディスペンサフラップ内で、前記側部パネルの前記上部引裂き線及び前記底部引裂き線を相互接続する前記引裂き線の近接位置に少なくとも１つのフィンガフラップを有し、それにより、前記ディスペンサフラップを切り開きやすくしている、請求項１４に記載の複数の円筒形容器を詰め込んだカートン。
【請求項１６】
前記底部パネルの、前記底部引裂き線と前記最も近い底部端フラップとの間の引裂き線、及び前記上部パネルの、前記底部引裂き線と前記最も近い上部端フラップとの間の引裂き線を有し、それにより、人が前記側部パネルの、前記底部引裂き線と前期最も近い側部端フラップとの間の部分を、前記ディスペンサフラップを取り除くことによって形成された前記開口から容器を容易に取り出すことができるようにするのに十分な距離だけ移動させることができるようにした、請求項１５に記載の複数の円筒形容器を詰め込んだカートン。
【請求項１７】
除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項８に記載の複数の円筒形容器を詰め込んだカートン。
【請求項１８】
前記カートンの前記側部パネルの前記底部引裂き線は、前期最も近い側端部フラップから、前記側部端フラップが位置する前記端部を下にして前記カートンを置いているとき、前記最も近い側部端フラップに近接した容器が前記ディスペンサフラップを取り除いたときに形成される前記開口から転がり出ることを防止するのに十分な距離にあるが、前記底部引裂き線は、前記最も近い側部端フラップに近接した容器を前記開口から取り出すのを妨げるほど前記最も近い側部端フラップから遠い位置にない、請求項１７に記載の複数の円筒形容器を詰め込んだカートン。
【請求項１９】
前記カートンの前記隣接した底部パネル及び前記隣接した上部パネル内に延びた前記引裂き線は、前記ディスペンサフラップを取り除いたときに形成される前期開口から人が容器の近接端部を把持できるようにするのに十分に前記パネルの各々の内部に延びている、請求項１８に記載の複数の円筒形容器を詰め込んだカートン。
【請求項２０】
前記カートンの前記側部パネルの前記底部引裂き線及び前記上部引裂き線を引裂き線が相互接続し、それにより、前記ディスペンサフラップを開きやすくしている、請求項１９に記載の複数の円筒形容器を詰め込んだカートン。
【請求項２１】
前記ディスペンサフラップ内で、前記側部パネルの前記上部引裂き線及び前記底部引裂き線を相互接続する前記引裂き線の近接位置に少なくとも１つのフィンガフラップを有し、それにより、前記ディスペンサフラップを切り開きやすくしている、請求項２０に記載の複数の円筒形容器を詰め込んだカートン。
【請求項２２】
前記底部パネルの、前記底部引裂き線と前記最も近い底部端フラップとの間の引裂き線、及び前記上部パネルの、前記底部引裂き線と前記最も近い上部端フラップとの間の引裂き線を有し、それにより、人が前記側部パネルの、前記底部引裂き線と前記最も近い側部端フラップとの間の部分を、前記ディスペンサフラップを取り除くことによって形成された前記開口から容器を容易に取り出すことができるようにするのに十分な距離だけ移動させることができるようにした、請求項２１に記載の複数の円筒形容器を詰め込んだカートン。
【請求項２３】
除去時に各層から前記容器を取り出すことができるようにする開口を提供するディスペンサフラップを有し、該ディスペンサフラップは、前記カートンの前記他端部に最も近い前記側部パネル内に位置する底部引裂き線であって、前記カートンの端部に少なくともほぼ平行である、底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項１０に記載の複数の円筒形容器を詰め込んだカートン。
【請求項２４】
各層に少なくとも２列に並べた２層の複数の円筒形容器を搬送するための、２つの端部を有するカートンであって、
（ａ）底部パネル、上部パネル、及び折り曲げ可能に取り付けられて隣接した側部パネルを有し、少なくとも一方の端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖されるかみ合わせ端部であり、各側部端フラップが、該側部端フラップを取り付けた前記側部パネルから遠位の端部を有し、各側部端フラップは、前記遠位端部内にリセス部分を有し、該リセス部分内に、２つの肩部を有するパンチロックと旋回ロックとが位置し、各ロックは折り曲げ線によって前記側部端フラップに取り付けられており、該折り曲げ線は前記側部端フラップを前記側部パネルに取り付けている該折り曲げ線に少なくともほぼ平行であり、前記旋回ロックは、前記パンチロックと該カートンの前記上部パネルとの間に位置し、該旋回ロックは、該旋回ロックを前記側部端フラップに取り付けている前記折り曲げ線に少なくともほぼ垂直である折り曲げ線によって取り付けられた補助雄ロックを有し、該補助雄ロックは、前記パンチロックの肩部に近接した位置にあり、前記端フラップは、固定手段によって合わせて保持されている、該カートンと、
（ｂ）２つの端部を有するかみ合わせセパレータパッドであって、その少なくとも一方の端部が、該カートンのかみ合わせ端部に近接して位置するかみ合わせ端部であり、該パッドは、前記2つの容器層の間に位置するように構成され、該パッドの各かみ合わせ端部は、折り曲げ可能に取り付けられて該カートンの前記底部パネルに向かって延びる前フラップを有し、前記パッドは、各々に少なくとも１つのロッキング縁部を有する２つの雌開口を前記かみ合わせ端部の近接位置に有し、前記前フラップは、各々に２つのロッキング縁部を有する２つの雌開口を有する、かみ合わせセパレータパッドとを備えており、
（ｃ）各側部端フラップのパンチロックが、前記パッドの前記前フラップの雌開口を通って突出し、該パンチロックの各肩部が前記開口のロッキング縁部に係合し、また、各補助雄ロックが前記パッドの雌開口を通って突出して、該雌開口のロッキング縁部に係合し、それにより、前記パッドを該カートンの前記かみ合わせ端部上の前記側部端フラップにかみ合わせることができ、また、
（ｄ）該カートンの前記他方の端部を固定するための手段を備えるカートン。
【請求項２５】
前記カートンの前記かみ合わせ端部を固定する前記手段は、前記上部端フラップ及び前記底部端フラップを前記側部端フラップに接着することによるものであり、また、前記カートンの前記他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、前記カートンの前記他方の端部は、前記上部端フラップ及び前記底部端フラップを前記側部端フラップに接着することによって閉鎖される、請求項２４に記載のカートン。
【請求項２６】
前記カートンの前記他方の端部の各側部端フラップは、該側部端フラップを取り付けた前記側部パネルから遠位の端部を有し、各側部端フラップは、前記遠位端部内にリセス部分を有し、該リセス部分内で、旋回ロックは、折り曲げ線によって前記側部端フラップに取り付けられており、該折り曲げ線は前記側部端フラップを前記側部パネルに取り付けている該折り曲げ線に少なくともほぼ平行であり、前記旋回ロックは、折り曲げ線によって取り付けられた補助雄ロックを有し、該折り曲げ線は、前記旋回ロックを前記側部端フラップに取り付けている該折り曲げ線に少なくともほぼ垂直であり、前記旋回ロックは、前記補助雄ロックと前記カートンの前記上部パネルとの間に位置し、前記セパレータパッドは、該パッドの前記他方の端部の近接位置に２つの雌開口を有し、各雌開口は、少なくとも１つのロッキング縁部を有し、各補助雄ロックは、前記パッドの前記他方の端部内の雌開口を通って突出して、前記雌開口のロッキング縁部に係合し、それにより、前記パッドと前記カートンとのかみ合わせを強化するようにした、請求項２５に記載のカートン。
【請求項２７】
前記カートンの各端部上の各側部端フラップの各補助雄ロックは、前記補助雄ロックを前記旋回ロックに取り付けている前記折り曲げ線の近接位置にスロットを有し、該スロットは、前記セパレータパッドの端部に最も近い雌開口の前記ロッキング縁部に係合する、請求項２６に記載のカートン。
【請求項２８】
除去時に各層から容器を取り出すことができるようにするディスペンサフラップを有し、該ディスペンサフラップは、前記カートンの前記他方の端部に最も近く、且つ前記カートンの一方の端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項２７に記載のカートン。
【請求項２９】
複数の円筒形容器を詰め込んだ、２つの端部を有する容器搬送カートンであって、
（ａ）底部パネル、上部パネル、及び折り曲げ可能に取り付けられて隣接した側部パネルを有し、一方の端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖されるかみ合わせ端部であり、各側部端フラップは、側部端フラップを取り付けた前記側部パネルから遠位の端部を有し、各側部端フラップは、前記遠位端部内にリセス部分を有し、該リセス部分内に、２つの肩部を有するパンチロックと旋回ロックとが位置し、各ロックは、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、前記パンチロックと該カートンの前記上部パネルとの間に位置し、該旋回ロックは、折り曲げ線によって取り付けられた補助雄ロックを有し、該折り曲げ線は、前記旋回ロックを前記側部端フラップに取り付けている該折り曲げ線に少なくともほぼ垂直であり、該補助雄ロックは、前記パンチロックの肩部に近接した位置にあり、前記端フラップは、接着によって合わせて保持されている、該カートンと、
（ｂ）各層に３列に並べた２層の円筒形容器と、
（ｃ）２つの端部を有するかみ合わせセパレータパッドであって、その一方の端部が、該カートンの前記かみ合わせ端部に近接して位置するかみ合わせ端部であり、該パッドは、前記2つの容器層の間に位置し、該パッドの前記かみ合わせ端部は、折り曲げ可能に取り付けられて該カートンの、側部パネル以外のパネルに向かって延びる前フラップを有し、前記パッドは、各々にロッキング縁部を有する２つの雌開口を前記かみ合わせ端部の近接位置に有し、前記前フラップは、各々に２つのロッキング縁部を有する２つの雌開口を有する、かみ合わせセパレータパッドとを備えており、
（ｄ）各側部端フラップのパンチロックが、前記パッドの前記前フラップの雌開口を通って突出し、前記パンチロックの各肩部が前記開口のロッキング縁部に係合し、各補助雄ロックが前記パッドの雌開口を通って突出し、各補助雄ロックは、前記雌開口のロッキング縁部に係合し、それにより、前記パッドを該カートンの前記かみ合わせ端部上の前記側部端フラップにかみ合わせることができ、また、
（ｅ）該カートンの前記他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、各側部端フラップは、該側部端フラップを取り付けた前記側部パネルから遠位の端部を有し、各側部端フラップは、前記遠位端部内にリセス部分を有し、該リセス部分内で、旋回ロックが、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、折り曲げ線によって取り付けられた補助雄ロックを有し、該折り曲げ線は、該旋回ロックを前記側部端フラップに取り付けている該折り曲げ線に少なくともほぼ垂直であり、前記旋回ロックは、該カートンの前記上部パネルと前記補助雄ロックとの間に位置し、前記セパレータパッドは、各々にロッキング縁部を有する２つの雌開口を該パッドの前記他方の端部の近接位置に有し、各補助雄ロックは、前記パッドの前記他方の端部内の雌開口を通って突出して、前記雌開口のロッキング縁部に係合し、それにより、前記パッドと前記カートンとのかみ合わせを強化するようにし、また、該カートンの前記他方の端部は、前記上部端フラップ及び前記底部端フラップを前記側部端フラップに接着することによって固定される、容器搬送カートン。
【請求項３０】
前記カートンの各端部上の各側部端フラップの各補助雄ロックは、前記補助雄ロックを前記旋回ロックに取り付けている前記折り曲げ線の近接位置にスロットを有し、該スロットは、前記セパレータパッドの端部に最も近い雌開口の前記ロッキング縁部に係合する、請求項２９に記載の複数の円筒形容器を詰め込んだカートン。
【請求項３１】
除去時に各層から前記容器を取り出すことができるようにするディスペンサフラップを有し、該ディスペンサフラップは、前記カートンの一方の端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３０に記載の複数の円筒形容器を詰め込んだカートン。
【請求項３２】
前記セパレータパッドの前記かみ合わせ端部の雌開口、前記パッドの前記他方の端部の前記雌開口及び前フラップ内の雌開口は、前記第１容器列と前記第２容器列との間に位置し、前記セパレータパッドの前記かみ合わせ端部及び前記パッドの前記他方の端部上の前記他方の雌開口、並びに前記前フラップ内の前記他方の雌開口は、前記第２容器列と前記第３容器列との間に位置している、請求項３１に記載の複数の円筒形容器を詰め込んだカートン。
【請求項３３】
各層に３列に並べた２層の複数の円筒形容器を搬送するためのカートンであって、
（ａ）底部パネル、上部パネル、及び折り曲げ可能に取り付けられて隣接した側部パネルを有し、一方の端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖されるかみ合わせ端部であり、各側部端フラップは、側部端フラップを取り付けた前記側部パネルから遠位の端部を有し、各側部端フラップは、前記遠位端部内にリセス部分を有し、該リセス部分内に、２つの肩部を有するパンチロックと旋回ロックとが位置し、各ロックは、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、前記パンチロックと該カートンの前記上部パネルとの間に位置し、前記旋回ロックは、折り曲げ線によって取り付けられた補助雄ロックを有し、該折り曲げ線は、前記旋回ロックを前記側部端フラップに取り付けている該折り曲げ線に少なくともほぼ垂直であり、該補助雄ロックは、前記パンチロックの肩部に近接した位置にあり、前記端フラップは、接着によって合わせて保持されている、該カートンと、
（ｂ）２つの端部を有するかみ合わせセパレータパッドであって、その一方の端部が、該カートンの前記かみ合わせ端部に近接して位置するかみ合わせ端部であり、該パッドは、前記2つの容器層の間に位置するように構成され、該パッドの前記かみ合わせ端部は、折り曲げ可能に取り付けられて該カートンの、側部パネル以外のパネルに向かって延びる前フラップを有し、前記パッドは、各々にロッキング縁部を有する２つの雌開口を前記かみ合わせ端部の近接位置に有し、前記前フラップは、各々に２つのロッキング縁部を有する２つの雌開口を有する、かみ合わせセパレータパッドとを備えており、
（ｃ）前記カートンの前記かみ合わせ端部上の各側部端フラップのパンチロックが、前記パッドの前記前フラップの雌開口を通って突出し、前記パンチロックの各肩部が前記開口のロッキング縁部に係合し、また、各補助雄ロックが前記パッドの雌開口を通って突出するとともに、前記雌開口のロッキング縁部に係合し、それにより、前記パッドを該カートンの前記かみ合わせ端部上の前記側部端フラップにかみ合わせることができ、また、
（ｄ）該カートンの前記他方の端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖され、各側部端フラップは、該側部端フラップを取り付けた前記側部パネルから遠位の端部を有し、前記側部端フラップの各々は、前記遠位端部内にリセス部分を有し、該リセス部分内で、旋回ロックが、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、折り曲げ線によって取り付けられた補助雄ロックを有し、該折り曲げ線は、該旋回ロックを前記側部端フラップに取り付けている該折り曲げ線に少なくともほぼ垂直であり、前記旋回ロックは、補助雄ロックと該カートンの前記上部パネルとの間に位置し、前記セパレータパッドは、各々にロッキング縁部を有する２つの雌開口を該パッドの前記他方の端部の近接位置に有し、各補助雄ロックは、前記パッドの前記他方の端部内の雌開口を通って突出して、前記雌開口のロッキング縁部に係合し、それにより、前記パッドと前記カートンとのかみ合わせを強化するようにし、また、該カートンの前記他方の端部は、前記上部端フラップ及び前記底部端フラップを前記側部端フラップに接着することによって固定される、容器搬送カートン。
【請求項３４】
前記カートンの各端部上の各側部端フラップの各補助雄ロックは、前記補助雄ロックを前記旋回ロックに取り付けている前記折り曲げ線の近接位置にスロットを有し、該スロットは、前記セパレータパッドの端部に最も近い雌開口の前記ロッキング縁部に係合する、請求項３３に記載のカートン。
【請求項３５】
除去時に各層から任意の容器を取り出すことができるようにするディスペンサフラップを有し、該ディスペンサフラップは、前記カートンの一方の端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３４に記載の複数のカートン。
【請求項３６】
各層に少なくとも２列に並べた２層の複数の円筒形容器を搬送するための、２つの端部を有するカートン用のブランク、及び該容器層を分離状態に保持するためのかみ合わせセパレータパッドであって、
（ａ）底部パネル、上部パネル、及び折り曲げ可能に取り付けられて隣接した側部パネルを有し、前記カートンの一方の端部がかみ合わせ端部であり、前記カートンの各端部は、前記上部パネルに折り曲げ可能に取り付けられた上部端フラップ、前記底部パネルに折り曲げ可能に取り付けられた底部端フラップ、及び各側部パネルに折り曲げ可能に取り付けられた側部端フラップによって閉鎖されるように構成されており、前記カートンの前記かみ合わせ端部上の各側部端フラップは、側部端フラップを取り付けた前記側部パネルから遠位の端部を有し、各側部端フラップは、前記遠位端部内にリセス部分を有し、該リセス部分内に、２つの肩部を有するパンチロックと旋回ロックとが位置し、各ロックは、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、前記パンチロックと前記カートンの前記上部パネルとの間に位置し、前記旋回ロックは、折り曲げ線によって取り付けられた補助雄ロックを有し、該折り曲げ線は、前記旋回ロックを前記側部端フラップに取り付けている該折り曲げ線に少なくともほぼ垂直であり、前記補助雄ロックは、前記パンチロックの肩部に近接した位置にある、該カートンブランクと、
（ｂ）２つの端部を有するかみ合わせセパレータパッドであって、その一方の端部がかみ合わせ端部であり、該パッドは、前記2つの容器層の間に位置するように構成され、該パッドの前記かみ合わせ端部は、折り曲げ可能に取り付けられて該カートンの、側部パネル以外のパネルに向かって延びる前フラップを有し、前記パッドは、各々にロッキング縁部を有する２つの雌開口を前記かみ合わせ端部の近接位置に有し、前記前フラップは、２つの雌開口を有し、前記前フラップの各開口に２つのロッキング縁部を有する、かみ合わせセパレータパッドとを備えており、
（ｃ）前記カートンの前記かみ合わせ端部上の各側部端フラップのパンチロックが、前記パッドの前記前フラップの雌開口を通って突出するように構成され、前記パンチロックの各肩部が、前記開口のロッキング縁部に係合し、また、各補助雄ロックが前記パッドの雌開口を通って突出して、前記雌開口のロッキング縁部に係合し、それにより、前記パッドを前記カートンの前記かみ合わせ端部上の前記側部端フラップにかみ合わせるように構成されている、カートン用のブランク及びセパレータパッド。
【請求項３７】
前記カートンの前記他方の端部の各側部端フラップは、該側部端フラップを取り付けた前記側部パネルから遠位の端部を有し、各側部端は、前記遠位端部内にリセス部分を有し、該リセス部分内で、旋回ロックが、折り曲げ線によって前記側部端フラップに取り付けられており、該折り曲げ線は、前記側部端フラップを前記側部パネルに取り付けている該折り曲げ線に少なくともほぼ平行であり、前記旋回ロックは、折り曲げ線によって取り付けられた補助雄ロックを有し、該折り曲げ線は、前記旋回ロックを前記側部端フラップに取り付けている該折り曲げ線に少なくともほぼ垂直であり、前記旋回ロックは、前記カートンの前記上部パネルと前記補助雄ロックとの間に位置し、前記セパレータパッドは、該パッドの他方の端部の隣接位置に２つの雌開口を有し、各雌開口は、少なくとも１つのロッキング縁部を有し、各補助雄ロックは、前記パッドの前記他方の端部内の雌開口を通って突出するように構成されて、前記雌開口のロッキング縁部に係合するようになっている、請求項３６に記載のカートン用のブランク及びセパレータパッド。
【請求項３８】
前記カートンは、除去時に各層から前記容器を取り出すことができるようにするディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３７に記載のカートン用のブランク及びセパレータパッド。
【発明の詳細な説明】
【技術分野】
【０００１】
［発明の背景］
１．発明の分野
本発明は包括的には、各層に３列に並べた２層の円筒形容器又は他の形式の物品を搬送するためのカートンに関する。カートンのかみ合わせ（interlocking）端部上の側部端フラップに取り付けられたパンチロック及び補助雄ロックを受け取るための雌開口を有するかみ合わせセパレータパッドが設けられている。このカートンは、カートン内の容器に手が届いてそれを取り出すことを容易にするために、側部パネル内にディスペンサを有することができる。
【背景技術】
【０００２】
２．発明の背景
缶を搬送することができ、且つ一度に１つずつ缶を小出しする機構を備える完全閉鎖型カートンが従来より使用されてきた。缶を２層にして搬送するとき、これらのディスペンサの多くは満足に動作しない。一定の製品の缶を、特に缶の寸法が小さい場合、２層にして搬送することが望ましい。２層の缶を収容しているカートン内の各層から缶を小出しすることができるディスペンサを設けることが望ましいであろう。カートン内のディスペンサが適正に動作するために、２層の缶を分離するデバイダ又はセパレータパッドを有することが望ましいであろう。そうでなければ、一方の層の缶が他方の層の缶の小出しを妨害する可能性がある。カートン内のすべての缶の小出し中、所定位置に留まろうとするデバイダ又はセパレータパッドを有することも望ましいであろう。カートンの側部パネル内のディスペンサとともに動作するデバイダ又はセパレータパッドを有することも望ましいであろう。
【発明の開示】
【課題を解決するための手段】
【０００３】
［発明の概要］
簡単に説明すると、本発明は、２層の缶又は他の物品を搬送することができ、２層の缶又は他の物品を分離するかみ合わせセパレータ又はデバイダパッドを有する完全閉鎖型カートンに関する。このカートンは、底部パネル、上部パネル、及び折り曲げ可能に取り付けられた側部パネルを有する。好ましくは、カートンの各端部は、１対の側部端フラップに上部端フラップ及び底部端フラップを、好ましくは接着によって固定することによって閉鎖される。カートンの少なくとも一方の端部がかみ合わせ端部である。カートンのかみ合わせ端部上の各側部端フラップは、その端部内にリセス部分を有し、このリセス部分内に、２つの肩部を有するパンチロックと旋回ロックとが設けられ、これらのロックは、側部端フラップに折り曲げ可能に取り付けられている。旋回ロックは、パンチロックとカートンの上部パネルとの間に位置し、また旋回ロックは、旋回ロック及びパンチロックを側部端フラップに取り付けている折り曲げ線に垂直である折り曲げ線によって取り付けられた補助雄ロックを有する。
【０００４】
カートンのかみ合わせ端部に近接した位置に少なくとも１つのかみ合わせ端部を有するかみ合わせセパレータパッドが設けられている。このパッドは、2つの容器層の間に位置する。パッドのかみ合わせ端部は、カートンの底部又はパネル上部に向かって延びる前フラップを有する。かみ合わせパッドは、かみ合わせ端部の近接位置に２つの雌開口を有し、これらは、旋回ロックをカートンの側部パネルに平行な位置に折り曲げるとき、旋回ロックに取り付けられる補助雄ロックを受け取る。前フラップにも２つの雌開口が設けられ、これらにパンチロックが所定位置まで押し込まれ、各パンチロックの肩部がそのロックを雌開口のロッキング縁部に当接したロック位置に保持する。
【０００５】
セパレータパッドが各端部にかみ合わせ端部を有し、カートンの各端部もかみ合わせ端部であることができる。
【０００６】
カートンの一方の端部だけがセパレータパッドの前フラップとかみ合わせられる場合、カートンの他方の端部は、旋回ロックを備えるリセス部分を有する側部端フラップを有し、セパレータパッドの他方の端部の近接位置の雌開口内に延びる補助雄ロックを旋回ロックに取り付けることができる。カートンの各端部の補助雄ロックは、容器をカートンからディスペンサ開口を通して取り出しているときでも、セパレータパッドを2つの容器層の間の所定位置に保持する。側部端フラップの補助雄ロックは、パッドの雌開口のロッキング縁部と重なって、パッドを所定位置にしっかり保持するスロットを有することができる。
【０００７】
好ましくは、このカートン内の容器は３列に配置され、カートンの各端部のロック及び雌開口は、第１容器列と第２容器列の間、及び第２容器列と第３容器列の間に配置される。
【０００８】
カートンの両端部は好ましくは、側部端フラップを折り曲げ、それらをセパレータパッド及び前フラップでロックし、次に底部端フラップを上向きに折り曲げて側部端フラップに接着し、上部端フラップを下向きに折り曲げて側部端フラップに接着し、その上に底部端フラップを重ねることによって閉鎖される。
【０００９】
このカートンは好ましくは、開放時に、容器を各層から取り出すためのディスペンサ開口を形成するディスペンサフラップを有する。ディスペンサフラップは、カートンの端部に基本的に平行である、側部パネル内の底部引裂き線と平行な上部引裂き線とによって形成される。好ましくは、上部引裂き線及び底部引裂き線の両方は、隣接した底部パネル及び上部パネル内に延びて、相互接続される。
【００１０】
このカートンは、ディスペンサに近接した端部を下にして設置され、容器を小出しするためにディスペンサフラップが切り開かれる。底部引裂き線は、容器が転がり出ることを防止するようにカートンの端部から十分に離れている必要があり、容器を取り出すために容易に手が届くようにする必要もある。底部引裂き線及び上部引裂き線は、容器の直径にほぼ等しい距離だけ離れている。
【００１１】
ディスペンサフラップを形成する底部引裂き線及び上部引裂き線は好ましくは、中間の１つ又は複数のフィンガフラップに接続され、それにより、ディスペンサフラップを二分して取り除きやすくしている。底部パネル内で底部引裂き線と端部との間に引裂き線を、また、上部パネル内で底部切り取りと端部との間に引裂き線を設け、それにより、底部引裂き線とカートンの端部との間に形成されたレッジを前方に移動させ、それにより、ディスペンサ開口内の容器を容易に取り出すことができるようにしてもよい。人が底部パネル及び上部パネル内に延びたディスペンサ開口から容器の端部を把持して、その容器をディスペンサ開口から引き出すことにより、容器をカートンから取り出すことができる。
【００１２】
このカートンは好ましくは、端フラップ同士を接着することによって構成されるが、テープ留め、ステープル留め等によって構成することもできる。
【００１３】
以下の図面を参照することにより、本発明の多くの態様をより十分に理解することができる。図面の構成要素は必ずしも同一縮尺ではなく、代わりに本発明の原理を明確に説明することに重点を置いている。さらに、図面において、幾つかの図を通して同様の参照符号が対応部品を示している。
【発明を実施するための最良の形態】
【００１４】
［好適な実施形態の詳細な説明］
本発明は主に、肉製品、野菜、魚及びスープを収容するために使用されるタイプの物品又は缶に使用される。本発明のカートンは主に、カートン内で各層に３列に並べた２層に積み重ねられた缶に有用である。これらの缶は一般的に、５．０８〜７．６２ｃｍ（２〜３インチ）の高さしかなく、カートン内で各層に１２個の缶を並べて２層に積み重ねられる。
【００１５】
図１に示されているように、本発明のカートンを形成するためのブランク１０は、板紙等の折り曲げ可能なシート状材料から形成される。図２に示されているようなかみ合わせセパレータパッドを形成するためのブランク１１０も、板紙等の折り曲げ可能なシート状材料から形成される。
【００１６】
本発明のカートンを形成するためのブランク１０は、側部パネル１２を有し、これは折り曲げ線１６によって上部パネル１４に取り付けられ、次に折り曲げ線２０によって対向側部パネル１８に、また折り曲げ線２４によって底部パネル２２に接続され、最終的に折り曲げ線２８で接着フラップ２６に接続されている。側部パネル１２は、折り曲げ線３２によって側部端フラップ３０に、また折り曲げ線３６によって側部端フラップ３４に折り曲げ可能に取り付けられている。上部パネル１４は、折り曲げ線３２によって上部端フラップ３８に、又は折り曲げ線３６によって上部端フラップ４０に折り曲げ可能に取り付けられている。対向する側部パネル１８は、折り曲げ線３２によって側部端フラップ４２に、また折り曲げ線３６によって側部端４４に折り曲げ可能に取り付けられている。底部パネル２２は、折り曲げ線３２によって底部端フラップ４６に、又は折り曲げ線３６によって底部端フラップ４８に折り曲げ可能に取り付けられている。
【００１７】
側部端フラップ３０、３４、４２及び４４は、フラップの遠位端のリセス部分６６Ａ〜Ｄ内に形成された主パンチロック５０Ａ〜Ｄを有する。パンチロックは、カートンの一方のかみ合わせ端部だけに形成されればよいことを理解されたい。パンチロックを各側部端フラップ内に設けることが好ましい。カートンによっては、カートンのかみ合わせ端部に単一のパンチロックを設けるだけで十分であろう。図３に示された側部端部フラップ３０の拡大図に５０Ａで示されているような各パンチロックは、底部ロッキング肩部Ｓ及び上部ロッキング肩部Ｓ’と、パンチロックの基部及びパンチロックの肩部を形成するための切れ目Ｃとを有する。これらのパンチロック５０Ａ〜Ｄは、折り曲げ線５２Ａ〜Ｄによって側部端フラップに取り付けられている。同リセス部分６６Ａ〜Ｄは好ましくは、カートンのかみ合わせ端部上の各側部端フラップ上に設けられる。このリセス部分６６Ａ〜Ｄは、それぞれロックヒンジ５５Ａ〜Ｄによってそれぞれの側部端フラップ３０、３４、４２及び４４に取り付けられた旋回ロック５４Ａ〜Ｄも有する。図３の側部端フラップ３０のリセス部分の拡大図にもっともわかりやすく示されているように、補助雄ロック５６Ａ〜Ｄが、ロックヒンジ６０Ａ〜Ｄによって各旋回ロック５４〜Ｄに取り付けられている。各補助雄ロックは、図３の拡大図に５８Ａで示されているロッキングスロット５８Ａ〜Ｄを有することができる。
【００１８】
カートンの本実施形態では、ディスペンサを設けて、カートンから缶を便利に取り出せるようにすることができる。たとえば、上部パネル内に延びて、相互接続引裂き線６８Ｃによって相互接続されることができる底部引裂き線６８Ａ及び上部引裂き線６８Ｂを設けることにより、図８に示されているようなディスペンサ開口Ｂを側部パネル１８に形成することができる。底部引裂き線６８Ａ及び上部引裂き線６８Ｂは、底部パネル２２内に延びて、相互接続引裂き線６８Ｄによって相互接続されることができる。単一のディスペンサフラップを形成することができるが、開きやすくするために、７０Ａ及び７０Ｂで示されているような２つのディスペンサフラップを設けることが好ましい。底部引裂き線６８Ａと上部引裂き線６８Ｂとの間に中間引裂き線７２を設けることができる。ディスペンサフラップ７０Ａ及び７０Ｂを開き始めるために、中間引裂き線７２に沿ってフィンガフラップ７４Ａ及び７４Ｂを設けてもよい。フィンガフラップ７４Ａは折り曲げ線７６Ａによってディスペンサフラップ７０Ａに折り曲げ可能に取り付けられ、フィンガフラップ７４Ｂは折り曲げ線７６Ｂによってディスペンサフラップ７０Ｂに折り曲げ可能に取り付けられている。上部パネル１４及び底部パネル２２内に設けられた引裂き線８０Ａ及び８０Ｂが、底部引裂き線６８Ａを折り曲げ線３２に接続する。
【００１９】
かみ合わせセパレータ用のブランク１１０が、図２に示されている。ブランク１１０は、折り曲げ線１１６によってセパレータパッド１１４に取り付けられた前フラップ１１２を有する。前フラップ１１２は、２つの主雌開口１１８Ａ及び１１８Ｂを有し、その各々がロッキング縁部Ｅを有することができる。セパレータパッド１１４のこの端部は２つの補助雌開口１２０Ａ及び１２０Ｂを有し、その各々が、折り曲げ線１１６の近接位置にロッキング縁部Ｅ’を有する。セパレータパッド１１４の他方の端部は、各々がセパレータパッド１１４の端部１２４の近接位置にロッキング縁部Ｅ”を有する１つ又は２つの補助雌開口１２０Ｃ及び１２０Ｄによってカートンにロックされることができる。２つの補助雌開口１２０Ｃ及び１２０Ｄが好ましい。セパレータパッド１１４は、図７に示されているように、ディスペンサ開口Ｂを通して各層の容器に手が届きやすくする切り欠き部１２２を有する。
【００２０】
セパレータパッド１１４の長さＬＰは、カートンの上部パネル１４の長さＬＴとほぼ同じか、それよりわずかに短い。セパレータパッド１１４の幅ＷＰは、上部パネル１４の幅ＷＴよりわずかに狭くなければならない。前フラップ１１２の高さＨは、カートン内に収容される容器の高さより低くなければならない。フラップ１１２は、カートンのかみ合わせ端部上の側部端フラップとかみ合うのに十分な高さＨを有するだけでよい。
【００２１】
本実施形態のブランク１０は、接着フラップ２６を側部パネル１２に接着することによってカートンスリーブの形にされる。セパレータパッド１１４が、２層の容器（たとえば缶）の間に配置されて、図４に示されているように、カートンスリーブ内に挿入される。Ｃ１〜Ｃ３で表される缶は、１層に３列の缶を構成する。円筒形容器は通常、それらの軸をセパレータパッド１１４に垂直にして、それらの端部を下にして積み重ねられる。代替として、セパレータパッド１１４を上に載せた下層の容器をカートンスリーブ内に挿入することができる。次に、上層の容器をセパレータパッド１１４の上に挿入することができる。前フラップ１１２は、上部パネル１４に向かって上向きに、又は底部パネル２２に向かって下向きに折り曲げられることができる。次に、側部端フラップ３４及び４４をパンチロック５０Ｂ及び５０Ｄで、図３の拡大図に最もわかりやすく示されているようなパンチロックの肩部Ｓ及びＳ’を主雌開口１１８Ａ及び１１８Ｂのロッキング縁部Ｅに係合させるようにして閉鎖させることができる。カートンのかみ合わせ端部上のこれらのパンチロック５０Ｂ及び５０Ｄが、セパレータパッド１１４を側部端フラップ３４及び４４にしっかり当てて保持して、図８に示されているように容器をディスペンサ開口Ｂから取り出しているとき、セパレータパッド１１４のこの端部がカートン内で横方向に移動することも防止する。
【００２２】
側部端フラップ３４及び４４を閉鎖するとき、図６に示されているように、旋回ロック５４Ｂ及び５４Ｄを内向きに押し込み、そこでそれぞれの補助雄ロック５６Ｂ及び５６Ｄを補助雌開口１２０Ａ及び１２０Ｂに押し込む。旋回ロック５４Ｂ及び５４Ｄは、パンチロック５０Ｂ及び５０Ｄと上部パネル１４との間に位置し、補助雄ロック５６Ｂ及び５６Ｄは、それぞれのパンチロック５０Ｂ及び５０Ｄの上側ロッキング肩部Ｓ’に近接し、したがって、セパレータパッド１１４のこの端部をパンチロックと補助雄ロックとの間でロックする。図２及び図３に示されているように、ロッキングスロット５８Ｂ及び５８Ｄは、補助雌開口１２０Ａ及び１２０Ｂのロッキング縁部Ｅ’上にロックされる。ロッキングスロットは、図３の拡大図に５８Ａとして最もわかりやすく示されている。これらのロッキングスロット５８Ｂ及び５８Ｄが、セパレータパッド１１４を側部端フラップ３４及び４４にしっかり当てて保持する。これらの補助雄ロック５６Ｂ及び５６Ｄは、図８に示されているようなディスペンサ開口Ｂから缶を取り出す間に、セパレータパッド１１４が側部端フラップ３４及び４４から移動することを防止する。このことは、ディスペンサ開口Ｂ又はカートンの何らかの他のタイプの開口のいずれか一方から缶を取り出す間の缶の移動を防止する。
【００２３】
図６に示されているように、底部端フラップ４８を上向きに折り曲げて、側部端フラップ３４及び４４に接着することができる。上部端フラップ４０を下向きに折り曲げて、側部端フラップ３４及び４４に接着し、それにより、カートンのこの端部を密封して閉鎖することができる。上部端フラップ４０を底部端フラップ４８の上に重ねて接着することができる。図７に示されているように、側部端フラップ３０及び４２を折り曲げ、旋回ロック５４Ａ及び５４Ｃを内向きに押し込み、それにより、補助雄ロック５６Ａ及び５６Ｃを補助雌開口１２０Ｃ及び１２０Ｄ内にロックすることにより、カートンの他方の端部が閉鎖される。各補助雄ロックのロッキングスロット５８Ａ及び５８Ｃがロッキング縁部Ｅ”に係合し、それにより、セパレータパッド１１４を側部端フラップ３０及び４２にしっかり当てて保持して、容器をディスペンサ開口Ｂから取り出すとき、セパレータパッド１１４が移動するのを防止する。本実施形態では、カートンのこの端部には、セパレータパッド１１４に取り付けられた前フラップがないので、パンチロック５０Ａ及び５０Ｃは使用されない。前フラップ１１２のような前フラップをセパレータパッドのこの端部に配置して、前フラップ１１２をかみ合わせるのと同様にして、カートンのこの端部とかみ合わせることができる。カートンの他方の端部と同様に、底部端フラップ４６を上向きに折り曲げ、上部端フラップ３８を下向きに折り曲げて、側部端フラップ３０及び４２に接着することができる。
【００２４】
図８に示されているように、端部を下にしてカートンを設置し、フィンガフラップ７４Ａ及び７４Ｂを押し込み、ディスペンサフラップ７０Ａ及び７０Ｂを切り開くことにより、ディスペンサ開口Ｂを形成することができる。必要ならば、引裂き線８０Ａ及び８０Ｂを切り開いて、ディスペンサレッジ７８を前方に移動させ、それにより、ディスペンサ開口Ｂから容器を取り出しやすくすることができる。底部引裂き線６８Ａと折り曲げ線３２との間の距離を缶の直径より短くし、それにより、ディスペンサ開口Ｂが開いているとき、缶がカートンから自動的に転がり出ることを防止するべきであるが、カートンのこの端部からの直近の缶の取り出しを妨げるほど高くてはならない。好ましくは、底部引裂き線６８Ａと折り曲げ線３２との間の距離は、多くの寸法の缶の場合で約２．５４ｃｍ（１インチ）である。
【００２５】
主雌開口１１８Ａ及び１１８Ｂが、容器列Ｃ１及びＣ２の間、及び容器列Ｃ２及びＣ３の間に位置し、それにより、パンチロック５０Ｂ及び５０Ｄを挿入しやすくしていることは理解されるであろう。このことは、旋回ロック５４Ｂ及び５４Ｄを折り曲げ、それにより、補助雄ロック５６Ｂ及び５６Ｄを補助雌開口１２０Ａ及び１２０Ｂとかみ合わせる場合にも重要である。
【００２６】
前フラップ１１２のような前フラップをセパレータパッド１１４の他方の端部に配置して、カートンの両端部をセパレータパッドの前フラップにかみ合わせることができることも理解されたい。
【００２７】
パンチロック５０Ａ及び５０Ｄは、セパレータパッド１１４を側部端フラップ３４及び４４にしっかり当てて保持する。図８から確認することができるように、補助雄ロック５６Ａ〜Ｄは、缶の取り出し中にセパレータパッド１１４が横方向に移動して、それらの取り出しを妨害することも防止する。言い換えると、補助雄ロック５６Ａ〜Ｄは、缶を缶の一方又は両方の層から取り出すとき、セパレータパッド１１４が上部パネル１４と底部パネル２２との間で前後に移動することを防止する。
【００２８】
以下の図面及び詳細な説明を吟味することにより、当業者には本発明の他のシステム、方法、特徴及び利点が明らかであり、又は明らかになるであろう。そのような追加的なシステム、方法、特徴及び利点のすべてが本明細書に含まれ、本発明の範囲に入り、添付の特許請求の範囲によって保護されるものとする。
【図面の簡単な説明】
【００２９】
【図１】本発明のカートンを形成するためのブランクの平面図である。
【図２】図１のブランクによって形成されたカートン内の２層の容器を分離するためのかみ合わせセパレータパッドの平面図である。
【図３】図１に示された側部端フラップ３０上のパンチロック、及び折り曲げ可能に取り付けられた補助雄ロックを設けた旋回ロックの拡大図である。
【図４】図１のブランクから形成されたカートン及び各層に缶を３列に並べてカートン内に挿入される位置にあるセパレータパッドの端部斜視図である。カートンのこの端部をロックする準備として、セパレータパッドの前フラップが下向きに折り曲げられている。
【図５】缶が２層に入っている図４のカートンの、セパレータパッドを側部端フランジとかみ合わせる方法を示す端部斜視図である。
【図６】図５に示されたカートンであって、カートンの一方の端部の側部端フラップにおいて、パンチロックが前フラップ内の主雌開口内にロックされ、旋回ロックがカートンに押し込まれ、補助雄ロックがかみ合わせセパレータパッドの補助雌開口内にロックされている、カートンの端部斜視図である。
【図７】側部端ロックに取り付けられた旋回ロック上の補助雄ロックをセパレータパッドの補助雌開口内にロックすることによってロックされたセパレータパッドを示す、カートンの他方の端部の端部斜視図である。
【図８】缶を満載したカートン内にセパレータパッドを配置し、ディスペンサフラップを取り除いて、缶の取り出し用のディスペンサ開口を露出させているカートンの斜視図である。
【図１】
2007519579.tif 000003
【図２】
2007519579.tif 000004
【図３】
2007519579.tif 000005
【図４】
2007519579.tif 000006
【図５】
2007519579.tif 000007
【図６】
2007519579.tif 000008
【図７】
2007519579.tif 000009
【図８】
2007519579.tif 000010
【国際調査報告】
2007519579.tif 000011
2007519579.tif 000012